(57)【要約】  １つの例示的実施形態においては、アプリケーターは、第一部分と、第二部分と、第一及び第二部分との間の脆弱部分とを有するベースを含む。アプリケーターは、第一袋及び第二袋を更に含む。第一袋は、第一出口に結合し、第二袋は第二出口に結合する。第一及び第二袋は、第一及び第二袋のいずれもベースの脆弱部分に重ならないように、ベースの１つの側部上に配置される。アプリケーターは、第一袋内に貯蔵される第一材料と、第二袋内に貯蔵される第二材料とを更に含む。ベースが脆弱部分で折り曲げられると、ベースの第一及び第二部分は、第一及び第二袋からそれぞれの第一及び第二出口を通って、材料を押し出す。【選択図】図３
2009519868.tif 000002
【特許請求の範囲】
【請求項１】
第一部分と、第二部分と、前記第一及び第二部分との間の脆弱部分とを含むベースと、
前記ベースの１方の側に配置された袋と、
前記袋内に貯蔵された材料と、
前記ベースの前記袋とは反対側に配置された投与部材と、
を含み、前記ベースが前記脆弱部分で折り曲げられた時、前記ベースの前記第一及び第二部分が、前記袋から前記投与部材に前記材料を押し出すことを特徴とするアプリケーター。
【請求項２】
前記アプリケーターは、発泡体で形成されることを特徴とする請求項１に記載のアプリケーター。
【請求項３】
前記ベースの前記脆弱部分の少なくとも一部は、前記ベースが折り曲げられる時に割れることを特徴とする請求項１に記載のアプリケーター。
【請求項４】
前記ベースの前記脆弱部分は、正弦波形状を有することを特徴とする請求項１に記載のアプリケーター。
【請求項５】
前記ベースに取り付けられた支持層を更に含み、該支持層は、前記ベースの前記袋と同じ側に配置されて、前記ベースが折り曲げられた時に前記ベースを支持することを特徴とする請求項１に記載のアプリケーター。
【請求項６】
前記ベースに取り付けられた支持層を更に含み、該支持層は、前記ベースと前記投与部材との間に配置されて、前記ベースが折り曲げられた時に前記ベースを支持する投与ことを特徴とする請求項１に記載のアプリケーター。
【請求項７】
前記袋は、前記袋から前記材料を効率的に排出するのを促進するために、前記材料が前記袋から押し出される領域で、狭くなっていることを特徴とする請求項１に記載のアプリケーター。
【請求項８】
第一部分と、第二部分と、前記第一及び第二部分との間の脆弱部分とを含むベースと、
前記ベースの前記脆弱部分に重ならないように、前記ベースの１方の側に配置される袋と、
前記袋に結合された出口と、
前記袋内に貯蔵された材料と、
を含み、前記ベースが、前記脆弱部分で折り曲げられた時、前記ベースの前記第一及び第二部分が、前記出口を通って前記袋から前記材料を押し出すことを特徴とするアプリケーター。
【請求項９】
少なくとも１つの前記出口及び前記袋は、前記ベースの前記第一及び第二部分が、前記袋に力を付与した時に破断するシールを含むことを特徴とする請求項８に記載のアプリケーター。
【請求項１０】
前記第一及び第二部分が、前記袋に力を付与することを停止した時、前記出口は、前記袋からの前記材料の流出を、少なくとも部分的に制限することを特徴とする請求項９に記載のアプリケーター。
【請求項１１】
前記ベース上の前記脆弱部分の少なくとも一部は、前記ベースが折り曲げられると割れることを特徴とする請求項８に記載のアプリケーター、
【請求項１２】
前記出口の一部は、前記ベースの前記脆弱部分が割れたときに割れて、前記材料が移動するための前記出口に開口を形成することを特徴とする請求項８に記載のアプリケーター。
【請求項１３】
前記袋は、前記材料が前記袋から効率的に排出するのを促進するために、前記出口で狭くなっていることを特徴とする請求項８に記載のアプリケーター。
【請求項１４】
第一部分と、第二部分と、前記第一及び第二部分との間の脆弱部分とを含むベースと、
前記ベースの１方の側に配置され、前記ベースの前記第一部分上にあって、前記ベースの前記脆弱部分に重ならない第一袋と、
前記第一袋と接続された第一出口と、
前記ベースの前記第一袋と同じ側に配置され、前記ベースの前記第二部分上にあって、前記ベースの前記脆弱部分と重ならない第二袋と、
前記第二袋に接続された第二出口と、
前記第一袋内に貯蔵された第一材料と、
前記第二袋内に貯蔵される第二材料と、
を含み、前記ベースが、前記脆弱部分で折り曲げられた時に、前記ベースの前記第一及び第二部分が、前記第一及び第二袋のそれぞれの前記第一及び第二出口を通して前記材料を押し出すようになった、
ことを特徴とするアプリケーター。
【請求項１５】
前記第一及び第二出口の少なくとも１つと、前記第一及び第二袋の各々は、前記ベースの前記第一及び第二部分が、前記第一及び第二袋のそれぞれの前記第一及び第二出口を通して前記材料を押し出す時に破断するシールを含むことを特徴とする請求項１４に記載のアプリケーター。
【請求項１６】
前記ベースの前記脆弱部分は、前記ベースが折り曲げられる時に完全に割れることを特徴とする請求項１４に記載のアプリケーター。
【請求項１７】
前記ベースの前記脆弱部分は、正弦波形状を有することを特徴とする請求項１４に記載のアプリケーター。
【請求項１８】
前記第一及び第二出口の各々の一部は前記ベースが折り曲げられる時に割れて、前記第一及び第二材料が移動するための開口を前記第一及び第二出口の各々に形成することを特徴とする請求項１４に記載のアプリケーター。
【請求項１９】
前記ベースに取り付けられた支持層を更に含み、該支持層は、前記ベースの前記袋と同じ側に配置されて、前記ベースが折り曲げられた時に前記ベースを支持することを特徴とする請求項１４に記載のアプリケーター。
【請求項２０】
前記第一出口及び第二出口との間にシールを更に含み、該シールは、前記シールを破断するために前記第一及び第二袋の１つに力が付与された時、前記第一及び第二材料の１つが、前記第一及び第二袋の他方に押し出されるように配置されたことを特徴とする請求項１４に記載のアプリケーター。
【発明の詳細な説明】
【技術分野】
【０００１】
本発明は、アプリケーター、特に表面に１又はそれ以上の材料を付与するために使用されるアプリケーターに関する。
【背景技術】
【０００２】
１又はそれ以上の材料が表面に付与されることが必要性になる多くの環境がある。例としては、清浄剤、シール剤、コーキング剤、化粧及び健康ケアー剤などとして使用するために、表面に材料が付与されることがある。
【０００３】
材料を貯蔵し、次に表面に該材料を付与するために、一般的に種々異なる型の装置が使用される。多くのこれらの型の装置の欠点の１つは、これらは大きくて扱いにくく、使用後に清浄及び／又は貯蔵することを困難にすることである。
【０００４】
材料を貯蔵して、表面に材料を付与するためにしばしば使用される、幾つかの小さい使い棄てパケットがある。しかしながら、最も小さい使い棄てパケットの設計は、典型的には、材料を表面に正確に付与するために使用するのには、不適当である。
【０００５】
例としては、このようなパケットに通常貯蔵される比較的高粘性のある材料は、周囲に付着したり、過度に大きい力を使用することなく、パケットから材料を絞り出すことを困難にする。更に、パケットから一度取り除かれると、表面に材料を正確に付与するために、典型的には別の道具が必要となる。
【０００６】
【特許文献１】米国特許第６，４２８，７９９号公報
【発明の開示】
【発明が解決しようとする課題】
【０００７】
本発明は、材料を貯蔵して、表面に該材料を付与することが可能なアプリケーターである。アプリケーターは、材料が比較的高い粘性を有している場合でも、アプリケーターから材料を押し出すことが可能な力を形成することができる。更に、アプリケーターは、別の道具を使用することなく、典型的には、表面に材料を付与することに関連する周囲への付着を減少させる方法で、表面に材料を付与することができる。
【０００８】
１つの例示的実施形態においては、アプリケーターは、第一部分と、第二部分と、第一部分と第二部分との間の脆弱部分とを有するベースを含む。アプリケーターは、更にベースの１方の側に配置される袋及び該袋内に貯蔵される材料を含む。アプリケーターは、更にベースの袋とは反対側に配置される投与部材を含み、ベースが脆弱部分において折り曲げられるとき、ベースの第一部分及び第二部分が、材料を袋から投与部材に押し出す。
【０００９】
材料が投与部材に押し出されると、投与部材は、表面に材料を付与するために使用することができる。ベースが折り曲げられて、第一及び第二部分を一層近位に置くと、第一及び第二部分は袋に力を加え続け、材料は、袋から投与部材に押し出され続ける。
【００１０】
ベースの脆弱部分は、種々異なる形態とすることができることに留意するべきである。アプリケーターの作動は、部分的にベースに含まれる脆弱部分の型による。脆弱部分の形態に応じて、ベースの脆弱部分は、（i）曲がるだけ、（ii）部分的に割れる、（iii）部分的に割れて曲がる、又は（iv）ベースが脆弱部分で折り曲げられた時に完全に割れることができる。
【００１１】
アプリケーターは、１又はそれ以上の支持層を更に含むことができ、ベースの１つの側部（又は両側の側部）に取り付けられる。支持層は、ベースが脆弱部分で折り曲げられた時に、ベースを支持することができる。
【００１２】
別の例示的実施形態においては、アプリケーターは、第一部分と、第二部分と、第一部分及び第二部分との間の脆弱部分とを有するベースを含む。アプリケーターは、袋と、該袋に接続される出口とを更に含む。袋は、該袋がベースの脆弱部分と重ならないように、ベースの１つの側部上に配置される。アプリケーターは、更に袋内に貯蔵される材料を含み、ベースが脆弱部分で折り曲げられると、ベースの第一及び第二部分は、出口を通って袋から材料を押し出す。
【００１３】
アプリケーターの形態に応じて、材料が移動するように出口に開口を与えるために、ベースの脆弱部分が折り曲げられると、出口の一部が割れるようにすることができる。幾つかの実施形態においては、出口及び／又は袋は、ベースの第一及び第二部分が袋に力を付与すると破断するシールを含むことができる。
【００１４】
出口及び／又はシールは、ある程度の材料がアプリケーターから取り出された後、袋からの材料の流れを少なくとも部分的に制限する可能性を有することができる。例としては、出口及び／又はシールは、ベースが折り曲げられていない位置に戻り、第一及び第二部分が、袋に力を与えていない場合は、閉じることができる。ベースが折り曲げられない位置に戻される時、出口及び／又はシールを閉じる可能性は、後の付与のために袋内に材料を貯蔵したままとさせることができる。
【００１５】
更に別の例示的実施形態においては、アプリケーターは、第一部分と、第二部分と、第一及び第二部分との間の脆弱部分とを有するベースを含む。アプリケーターは、第一袋及び第二袋を更に含む。第一袋は第一出口を有し、第二袋は第二出口を有する。第一及び第二袋は、第一及び第二袋のいずれもベースの脆弱部分に重ならないように、ベースの１つの側部上に配置される。
【００１６】
アプリケーターは、第一袋内に貯蔵される第一材料と、第二袋内に貯蔵される第二材料とを更に含む。ベースが、脆弱部分で折り曲げられると、ベースの第一及び第二部分は、第一及び第二袋のそれぞれの出口を通って、第一及び第二材料を押し出す。
【００１７】
第一材料は、第二材料と同じものとすることもでき、或いは第二材料と異なるものとすることもできる。例としては、第一及び第二材料は、これらが表面に付与されると、互いが化学反応することができる。
【００１８】
本発明の付加的特性は、現在認識されているような本発明を実行するのにもっとも良い形態を例示している、図示した実施形態についての以下の詳細な説明を考慮するとき、当業者にとって明らかになるであろう。
【発明を実施するための最良の形態】
【００１９】
図１−３は、アプリケーター１０の例示的実施形態を示している。アプリケーター１０は、第一部分２１と、第二部分２２と、第一部分２１及び第二部分２２との間の脆弱部分２３とを有するベースを含む。アプリケーター１０は、ベース２０の１方の側２４に配置される袋３０と、該袋３０内に貯蔵される材料４０とを更に含む。アプリケーター１０は、ベース２０の袋３０とは反対側２５に配置される投与部材５０を更に含み、ベースが脆弱部分２３で折り曲げられる時、第一部分２１及び第二部分２２は、材料４０を袋３０から投与部材５０に押し出す。（図３参照）
【００２０】
材料４０が投与部材５０内に押し出されると、投与部材５０は、材料４０を表面（図示されず）に付与するために使用することができる。第一部分２１及び第二部分２２を一層近位にするようにベースを更に折り曲げると、第一及び第二部分２１、２２は、袋３０に力を加え続け、材料４０は、袋３０から投与部材５０内に押し出され続ける。
【００２１】
幾つかの実施形態においては、投与部材５０は、比較的可撓性の材料で形成することができ、材料４０が表面に付与されるにしたがって、材料４０を広げることが可能である。他の実施形態においては、投与部材５０は、実質的には、剛性材料で形成することができ、投与部材５０は、パターンに幾分似せて材料４０を付与する。投与部材５０のために使用することができる幾つかの例示的材料は、発泡体（例えば、メラミン発泡体、ポリウレタン発泡体、再生セルロース、ポリオレフィン発泡体、フェノール発泡体）、不織材料（例えば、メルトブローン、メルトスパンウエブ、スパンレースコフォーム材料、ボンデッドカーデッドウエブ、空気堆積材料）、布（例えば、織成布、フェルト、編布、ネット）、ブラシ材料、紙ベースの材料（例えば、カードストック、空気堆積、ティッシュ）を含む。投与部材５０は、上記した材料のいずれかの積層体又は複合体とすることができることに留意するべきである。
【００２２】
ベース２０の脆弱部分２３は、種々異なる形態とすることができることに留意するべきである。アプリケーター１０の作動は、部分的にベース２０に含まれる脆弱部分２３の型による。脆弱部分２３の形態に応じて、ベース２０が脆弱部分２３で折り曲げられると、ベース２０の脆弱部分２３は、（i）曲がるだけ、（ii）部分的に割れる、（iii）部分的に割れて曲がる、又は（iv）完全に割れる（図３参照）ことができる。
【００２３】
図１−３に示されている例示的実施形態においては、ベース２０の第一部分２１及び第二部分２２は、実質的には一致した形状を有する。第一部分２１及び第二部分２２は、異なる形状とすることができ、特定の大きさ、形状及び／又は型を制限するものではないことが理解される。
【００２４】
更に、図１−３では、脆弱部分２３は線状であるが、図４は、脆弱部分２３が正弦波形状を有する例示的アプリケーターの一部を示している。脆弱部分２３の形態に応じて、第一部分２１は縁部を含むことができ、第二部分２２は縁部を含むことができ、各々の縁部は、ベース２０が折り曲げられる時に形成される（図３参照）。材料４０が袋３０から押し出されると、縁部は、材料３０を表面に付与するために使用することができる。袋３０は、材料４０が袋３０から押し出される領域で狭くなり、材料４０を袋３０から促進して効率的に排除することに留意するべきである。
【００２５】
例としては、第一及び第二部分２１、２２の縁部は、表面を清浄する、擦る、又は磨耗する及び／又は材料を表面上に広げるための道具として機能することができる。更に、図４の正弦波形状縁部は、材料４０を表面に連続する縞状に付与するために使用することができる。
【００２６】
脆弱部分２３は、ベース２０が脆弱部分２３で折り曲げられることを可能とする、あらゆる形状とすることができることが考えられる。例として、ベース２０の脆弱部分２３は、脆弱部分２３でベース２０が折れ曲がる（割れる場合もある）ことを促進するベベル部２６（図５）又は切り欠き２７（図６）を含むことができることを、図５及び図６は示している。幾つかの実施形態においては、ベース２０の脆弱部分２３は、ベース２０の残りの部分より薄いものとすることができる。
【００２７】
アプリケーター１０に含まれる脆弱部分２３の形式は、部分的には、（i）ベース２０に使用される材料、（ii）袋３０により保持される材料４０の型、（iii）表面に付与される材料４０の量、及び（iv）材料が付与される表面の形態などによって定まる。
【００２８】
図７に示されているように、アプリケーター１０は、ベース２０に取り付けられた支持層６０を含むことができる。図７に示された例示的実施形態においては、支持層６０は、ベース２０の袋３０と同じ側２４上に配置される。支持層６０は、ベース層２０が脆弱部分２３で折り曲げられる時、ベース２０を支えることができる。
【００２９】
図８に示されているように、アプリケーター１０は、ベース２０に取り付けられた支持層７０を含むことができる。図７に示された例示的実施形態においては、支持層７０は、ベース２０と投与部材５０との間に存在する。支持層７０は、支持層６０に加えて、又は支持層６０の代わりに、アプリケーター１０に含むことができる。支持層６０及び／又は支持層７０により形成される支持は、ベース２０の脆弱部分２３が、ベース２０が折り曲げられた時に完全に割れるような実施形態の場合に、特に重要とすることができる。
【００３０】
図９−１１は、アプリケーター１１０の別の例示的実施形態を示している。アプリケーター１１０は、第一部分１２１と、第二部分１２２と、第一及び第二部分１２１、１２２との間にある脆弱部分１２３とを有するベース１２０を含む。
【００３１】
アプリケーター１１０は、袋１３０と、該袋１３０に結合される出口１３１とを含む。袋１３０は、該袋１３０が、ベース１２０の脆弱部分１２３に重ならないように、ベース１２０の１つの側部上に配置される。アプリケーター１１０は、袋１３０内に貯蔵される材料を含み、ベース１２０が脆弱部分１２３で折り曲げられた時に、ベース１２０の第一及び第二部分１２１、１２２が、材料１４０を出口１３１を通って袋１３０から押し出す。ベース１２０は、上記したベース２０にいずれかと類似するものとすることができることに留意する。更に、ベース１２０の第一部分１２１、第二部分１２２、及び脆弱部分１２３は、上記した第一部分２１、第二部分２２及び脆弱部分２３のそれぞれに類似したものとすることができる。
【００３２】
アプリケーター１１０の形態に応じて、材料１４０が通って移動するように出口１３１に開口を形成するために、ベース１２０の脆弱部分１２３が折り曲げられる時に、出口１３１の一部は割れることができる。アプリケーター１１０は、多数の出口（図示されず）を含むことができることに留意するべきである。更に、出口１３１は、種々異なる断面形状及びサイズ（例えば、高い幅対高さ比を有する形状）の表面に、材料１４０を付与させることが可能なように、引き伸ばすことができるか、又はあらゆる他の形状とすることができる。
【００３３】
幾つかの実施形態においては、出口１３１及び／又は袋１３０は、ベース１２０の第一及び第二部分１２１、１２２が袋１３０に力を与える時に破断する、シール１３３を含むことができる。シール１３３は、ベース１２０が折り曲げられる時、シール１３３が破断する限り、現在知られている、又は将来発見されるであろう、あらゆる型のシール１３３とすることができる。
【００３４】
幾つかの実施形態においては、出口１３１及び／又はシール１３３は、ある材料１４０がアプリケーター１１０から取り出された後、袋１３０からの材料１４０の流出を、少なくとも部分的に制限する可能性を有することができる。例としては、出口１３１及び／又はシール１３３は、ベース１２０が折り曲げられていない位置に戻されて、第一及び第二部分１２１、１２２が袋１３０に力を与えていない場合には、閉じることができる。ベース１２０が折り曲げられていない位置に戻された時に、出口１３１及び／又はシール１３３を閉じることは、袋１３０に残っている材料１４０を、その後の付与のために貯蔵させることができる。
【００３５】
図１２に示されているように、アプリケーター１１０は、ベース１２０に取り付けられる支持層１６０を含むことができる。図１２に示された例示的実施形態においては、支持層１６０は、ベース１２０の袋１３０と同じ側に配置される。支持層１６０は、ベース１２０が脆弱部分１２３で折り曲げられる時、ベース１２０を支えることができる。
【００３６】
図１３−１４に示されているように、アプリケーター１１０は、ベース１２０に取り付けられる支持層１７０を含むことができる。図１３−１４に示されている例示的実施形態においては、支持層１７０は、ベース１２０が折り曲げられた時、支持層１７０がベース１２０を支持するように、ベース１２０の袋１３０と反対側１２５上に配置される。支持層１７０は、支持層１６０に加えて、又は支持層１６０の代わりに、アプリケーター１１０に含むことができる。
【００３７】
図１３及び１４に示されているように、支持層１７０は、ベース１２０が折り曲げられた時、支持層１７０が伸張するように、幾分かの弛みを備えて形成することができる。支持層１７０は、開口１７１を含むことができ、ベース１２０が折り曲げられたために弛みが減少した時、支持層１７０の１又はそれ以上の開口１７１を通って、材料１４０を押し出すことができる。
【００３８】
幾つかの実施形態においては、支持層１７０の開口１７１は、アプリケーター１１０からの材料１４０の流出を制御する手段として機能することができる。開口１７１を通って流出する材料１４０の量は、支持層１７０の開口１７１の大きさ及び配置により、部分的に定められる。
【００３９】
支持層１６０、１７０は、上記した支持層６０、７０のいずれかと類似するものとすることができる。更に、支持層１６０、１７０は、同じ材料又は異なる材料で形成することができる。支持層１７０と類似している支持層は、ここに示された又は参照した実施形態のいずれかに含むことができることに留意するべきである。
【００４０】
ここで示された又は参照した実施形態のいずれかにおいて、支持層として使用することができる幾つかの例示的材料は、マイラーフィルム、ポリプロピレンフィルム、ナイロンフィルム、アクリル系フィルム、不織ウエブ、紙ウエブ、ホイル層、エラストマー性層（例えば、ゴム、シリコン、ラテックス、ネオプレン）、布層、発泡体層などを含む。支持層１６０、１７０の大きさ、形状及び型は、（i）ベース１２０の大きさ及び型、（ii）材料１４０の型、（iii）出口１３１の図案、及び袋１３０の大きさ及び型などに部分的によることを認識するべきである。
【００４１】
幾つかの実施形態においては、アプリケーター１１０は、投与部材（図示されず）を含むことができ、ベース１２０の袋１３０とは反対側１２５上に配置される。投与部材は、ベース１２０が折り曲げられた時、材料１４０が、出口１３１を通って投与部材に押し出されるように配置することができる。投与部材は、上記した、又は参照した投与部材５０のいずれかと類似したものとすることができる。
【００４２】
図１５−１７は、別の例示的アプリケーター２１０を示している。アプリケーター２１０は、第一部分２２１と、第二部分２２２と、第一及び第二部分２２１、２２２との間にある脆弱部分２２３とを有するベース２２０を含む。アプリケーター２１０は、第一袋２３０Ａ及び第二袋２３０Ｂを含む。第一袋２３０Ａは、第一出口２３１Ａに結合し、第二袋２３０Ｂは、第二出口２３１Ｂに結合する。第一及び第二袋２３０Ａ、２３０Ｂは、第一及び第二袋２３０Ａ、２３０Ｂのいずれも、ベース２２０の脆弱部分２２３と重ならないように、ベース２２０の１つの側部２２４上に配置される。
【００４３】
アプリケーター２１０は、第一袋２３０Ａ内に貯蔵される第一材料２４０Ａを含み、第二材料２４０Ｂは、第二袋２３０Ｂ内に貯蔵される第二材料２４０Ｂを含む。図１７は、ベース２２０が、脆弱部分２２３で折り曲げられた時、ベース２２０の第一及び第二部分２２１、２２２が、第一及び第二袋２３０Ａ、２３０Ｂからそれぞれの出口２３１Ａ、２３１Ｂを通って、材料２４０Ａ、２４０Ｂを押し出すことを示している。
【００４４】
幾つかの実施形態においては、第一材料２４０Ａは、第二材料２４０Ｂと同じものとすることができる。他の実施形態においては、第一材料２４０Ａは、第二材料２４０Ｂと異なる材料とすることができる。例としては、第一及び第二材料２４０Ａ、２４０Ｂは、これらが表面に付与された時に、互いが化学反応を起こすことができる。
【００４５】
ベース２２０は、上記したベース２０、１２０のいずれかと類似したものとすることができることに留意するべきである。更に、ベース２２０の第一部分２２１、第二部分２２２、及び脆弱部分２２３は、上記した第一部分、第二部分、及び脆弱部分と類似したものとすることができる。
【００４６】
出口２３１Ａ、２３１Ｂは、上記した出口１３１のいずれかと類似したものとすることができることに留意するべきである。更に、第一及び第二出口２３１Ａ、２３１Ｂの各々及び／又は第一及び第二袋２３０Ａ、２３０Ｂの各々は、上記したシール１３３のいずれかと類似したそれぞれのシール２３３Ａ、２３３Ｂを含むことができる。
【００４７】
図１８は、ベース２２０に取り付けられた支持層２６０を更に含むことができるアプリケーター２１０を示している。支持層２６０は、ベース２２０が折り曲げられた時に、ベース２２０を支持するように、ベース２２０の第一及び第二袋２３０Ａ、２３０Ｂと同じ側２２４に配置される。
【００４８】
図１９は、ベース２２０に取り付けられた支持層２７０を更に含むことができるアプリケーター２１０を示している。支持層２７０は、ベース２２０が折り曲げられた時に、ベース２２０を支持するように、ベース２２０の第一及び第二袋２３０Ａ、２３０Ｂとは反対側２２５に配置される。支持層２６０、２７０は、上記した支持層６０、７０、１６０、１７０のいずれかと類似したものとすることができる。
【００４９】
幾つかの実施形態においては、アプリケーター２１０は、ベース２２０の、第一及び第二袋２３０Ａ、２３０Ｂとは反対側２２５に配置された投与部材（図示されず）を含むことができる。ベース２２０が折り曲げられた時に、ベース２２０の第一及び第二部分２２１、２２２が、第一及び第二袋２３０Ａ、２３０Ｂから、それぞれの出口２３１Ａ、２３１Ｂを通って、第一及び第二材料２４０Ａ及び２４０Ｂを投与部材に押し出すように、投与部材を配置することができる。投与部材は、上記した又は参照した投与部材５０のいずれかと類似したものとすることができる。
【００５０】
図２０及び２１は、それぞれの材料２４０Ａ、２４０Ｂが、袋２３０Ａ、２３０Ｂへの出口に向かって押し出されるにしたがって、第一及び第二袋２３０Ａ、２３０Ｂが狭くなる場合のアプリケーター２１０の例示的実施形態を示している。第一及び第二袋２３０Ａ、２３０Ｂが狭くなると、第一及び第二袋２３０Ａ、２３０Ｂから材料２４０Ａ、２４０Ｂを一層効率的に排除するように促進することができる。
【００５１】
図２０及び２１は、幾つかの実施形態において、第一及び第二袋２３０Ａ、２３０Ｂは、シール２３５により分割することができ、シール２３５が破断された時に、ベース２２０が曲げられる及び／又は破断する前に、第一及び第二材料２４０Ａ、２４０Ｂが、混合することができることを示している。材料２３０Ａ、２３０Ｂの各々は、それぞれの袋２４０Ａ、２４０Ｂを最初は充填しておらず、袋２３０Ａ、２３０Ｂの各々には、袋２３０Ａ、２３０Ｂ内の材料２４０Ａ、２４０Ｂと混合することが可能な余地があることに留意するべきである。第一及び第二袋２３０Ａ、２３０Ｂは、第一及び第二材料２４０Ａ、２４０Ｂが、第一及び第二袋２３０Ａ及び２３０Ｂ内で互いが混合される場合に、各々の第一及び第二袋２３０Ａ、２３０Ｂの大きさを増加させることが可能な弾性材料で形成することができる。材料２４０Ａ、２４０Ｂの混合は、１つの袋２３０Ａを凹ませて、次にもう一方の袋２３０Ｂを順次凹ませて、第一及び第二材料２４０Ａ、２４０Ｂを、第一袋２３０Ａと第二袋２３０Ｂとの間を前後に移動させて、成すことができる。
【００５２】
ここに示された又は参照した例示的アプリケーター１０、１１０、２１０は、材料を貯蔵し、次に表面に該材料を付与するために使用することができる。アプリケーター１０、１１０、２１０に組み込むことができる幾つかの例示的材料は、化粧品（顔用クリーム、ファンデーション、ローション、肌健康剤、シャンプー、植物剤、ヘアーコンディショナー、毛染め用化合物）、口腔ケアー化合物（歯磨き剤、呼気清浄剤）、接着剤、生物学的材料（例えば、細菌を生成する乳酸）、シーラント、酸化剤、薬剤、染色剤（一時的なもの、持続性がないもの、及び永久的なもの）、指示溶液（すなわち、ｐＨなどの状態に反応して色変化する溶液）、コルク、清浄剤、洗剤、トイレ用品、食料品（ピーナッツバター、チーズ塗り、ジャム、ゼリー、バター、蜂蜜、ホムス塗り、グアカモーレ）、肌健康剤、肌用シーラント、被膜剤、加熱又は冷却用化合物（すなわち、２つの化合物を付与すると、順次、熱の放出又は吸収を引き起こすようなもの）及び臭気制御化合物などを含む。幾つかの他の例示的材料は、米国特許第６，４２８，７９９号に記載されている。袋に貯蔵される材料は、液体、スラリー、粉末、気体及び多相材料（流出可能な材料など）とすることができる。
【００５３】
ベース（例えば上記したようなベース２０、１２０、２２０）は、多くの異なる型の材料、又は材料の組み合わせで形成することができることが留意される。ベースのために選択される材料の型は、部分的に、ベースの脆弱部分が、（i）曲がるだけ、（ii）部分的に割れる、（iii）部分的に割れて曲がる、又は（iv）ベースが脆弱部分で完全に折り曲げられる場合のどの場合となるのが望ましいかによる。ここに示した又は参照したベースに使用することができる幾つかの例示的材料は、アクリル樹脂、フェノール樹脂、ポリオレフィン、ポリアミド、ポリスチレン、天然材料（例えば、木質及び金属）、ＰＶＣ及び積層体、又は様々な材料（他の材料）の複合体を含む。
【００５４】
本発明は、ある種の示した実施形態を参照して詳細に述べているが、以下の特許請求の範囲に定めているように、修正及び変更が本発明の範囲及び思想内に存在する。
【図面の簡単な説明】
【００５５】
【図１】例示的アプリケーターの平面図である。
【図２】図１に示した例示的アプリケーターの側面図である。
【図３】図２におけるアプリケーターが、材料を取り出しているところの側面図である。
【図４】アプリケーターのベースの脆弱部分が正弦波形状を有する場合の、例示的アプリケーターの一部の平面図である。
【図５】アプリケーターのベースの脆弱部分がベベル部を含む場合の、例示的アプリケーターの一部の側面図である。
【図６】ベースの脆弱部分が切り欠きを含む場合の、図５に類似した側面図である。
【図７】別の例示的アプリケーターを示した図３に類似した側面図である。
【図８】別の例示的アプリケーターを示した図３及び７に類似した側面図である。
【図９】別の例示的アプリケーターの平面図である。
【図１０】図９に示した例示的アプリケーターの側面図である。
【図１１】図１０に示したアプリケーターが材料を取り出しているところの側面図である。
【図１２】別の例示的アプリケーターを示した図１１に類似した側面図である。
【図１３】別の例示的アプリケーターを示した図１０に類似した側面図である。
【図１４】図１３に示した例示的アプリケーターが折り曲げられた場合を示した側面図である。
【図１５】別の例示的アプリケーターの平面図である。
【図１６】図１５に示した例示的アプリケーターの側面図である。
【図１７】図１５で示したアプリケーターが材料を取り出しているところの側面図である。
【図１８】別の例示的アプリケーターを示した図１７に類似した側面図である。
【図１９】別の例示的アプリケーターを示した図１７に類似した側面図である。
【図２０】別の例示的アプリケーターの平面図である。
【図２１】図２０で示した例示的アプリケーターの側面図である。
【符号の説明】
【００５６】
１０  アプリケーター
２０  ベース
２１  第一部分
２２  第二部分
２３  脆弱部分
２６  ベベル部
２７  切り欠き
３０  袋
４０  材料
５０  投与部材
６０  支持層
【図１】
2009519868.tif 000003
【図２】
2009519868.tif 000004
【図３】
2009519868.tif 000005
【図４】
2009519868.tif 000006
【図５】
2009519868.tif 000007
【図６】
2009519868.tif 000008
【図７】
2009519868.tif 000009
【図８】
2009519868.tif 000010
【図９】
2009519868.tif 000011
【図１０】
2009519868.tif 000012
【図１１】
2009519868.tif 000013
【図１２】
2009519868.tif 000014
【図１３】
2009519868.tif 000015
【図１４】
2009519868.tif 000016
【図１５】
2009519868.tif 000017
【図１６】
2009519868.tif 000018
【図１７】
2009519868.tif 000019
【図１８】
2009519868.tif 000020
【図１９】
2009519868.tif 000021
【図２０】
2009519868.tif 000022
【図２１】
2009519868.tif 000023
【国際調査報告】
2009519868.tif 000024
2009519868.tif 000025